(57)【要約】【課題】本発明は変換装置に関し、既存のカード装置との互換性を保つと共に、ホスト装置の構成を変更することなく、任意の仕様のカード型装置を、特定の仕様のカード型装置用に設計されたホスト装置に接続して使用可能とすることを目的とする。【解決手段】第１の仕様のカード型装置が接続される構成のホスト装置に接続可能な変換装置において、第１の仕様とは異なる第２の仕様のカード型装置をホスト装置に接続可能とする物理的形状を有する接続部と、ホスト装置が接続されているカード型装置のカード識別情報をアクセスするとホスト装置に接続されている第２の仕様のカード型装置内に格納されているカード識別情報に代わって読み込まれる第１の仕様のカード型装置のカード識別情報を格納する格納部と、ホスト装置からの電源電圧を第２の仕様に合わせて変換して第２の仕様のカード型装置へ供給する電圧変換部とを備えるように構成する。【選択図】      図７
2004227239.tif 000002
【特許請求の範囲】
【請求項１】
第１の仕様のカード型装置が接続される構成のホスト装置に接続可能な変換装置であって、
該第１の仕様とは異なる第２の仕様のカード型装置を該ホスト装置に接続可能とする物理的形状を有する接続部と、
該ホスト装置が接続されているカード型装置のカード識別情報をアクセスすると、該ホスト装置に接続されている第２の仕様のカード型装置内に格納されているカード識別情報に代わって読み込まれる第１の仕様のカード型装置のカード識別情報を格納する格納部と、
該ホスト装置からの電源電圧を該第２の仕様に合わせて変換して該第２の仕様のカード型装置へ供給する電圧変換部とを備えたことを特徴とする、変換装置。
【請求項２】
前記カード型装置は、持ち運び可能なカード媒体であることを特徴とする、請求項１記載の変換装置。
【請求項３】
前記格納部は、前記ホスト装置内でカード型装置の使用に伴う初期立ち上げに必要なカード識別情報を少なくとも格納することを特徴とする、請求項１又は２記載の変換装置。
【請求項４】
前記第１の仕様のカード型装置と、前記第２の仕様のカード型装置とは、同じ種類のカード型装置であることを特徴とする、請求項１〜３のいずれか１項記載の変換装置。
【請求項５】
前記第１の仕様のカード型装置と、前記第２の仕様のカード型装置とは、互いに異なる種類のカード型装置であることを特徴とする、請求項１〜３のいずれか１項記載の変換装置。
【発明の詳細な説明】
【０００１】
【発明の属する技術分野】
本発明は変換装置に係り、特にパーソナルコンピュータ等のホスト装置に異なる仕様のカード型装置を使用可能とする変換装置に関する。
【０００２】
近年、ＰＣＭＣＩＡ又はＣＦ（Ｃｏｍｐａｃｔ  Ｆｌａｓｈ：コンパクトフラッシュ（登録商標））等のインタフェースを備えた持ち運び可能なカード媒体であるカード型装置が、パーソナルコンピュータ等のホスト装置と接続されて使用されることが、頻繁に行われている。このようなカード型装置には、様々な仕様のものがあり、例えば５．０Ｖの電源電圧で動作する仕様のカード型装置や、３．３Ｖの電源電圧で動作する仕様のカード型装置がある。上記の如きカード型装置は、ＰＣカード、ＣＦカード等と呼ばれており、ＰＣ  Ｃａｒｄ  Ｓｔａｎｄａｒｄ  Ｒｅｌｅａｓｅ  ８．０（Ｃａｒｄ  Ｓｔａｎｄａｒｄ  Ｖｏｌｕｍｅ  ４  Ｍｅｔａｆｏｒｍａｔ  Ｓｐｅｃｉｆｉｃａｔｉｏｎ）、ＣＦ＋  ＆  ＣＦ  Ｓｐｅｃｉｆｉｃａｔｉｏｎ  Ｒｅｖｉｓｉｏｎ１．４（１９９８−９９  Ｃｏｍｐａｃｔ  Ｆｌａｓｈ  Ａｓｓｏｃｉａｔｉｏｎ）等で規格化されている。
【０００３】
【従来の技術】
従来のホスト装置は、ある仕様のカード型装置のみを使用可能な構成となっている。ホスト装置は、例えば接続されたカード型装置の物理的形状に基づいて、カード型装置へ供給する電源電圧を暫定的に決定し、その後にカード識別情報（ＣＩＳ：Ｃａｒｄ  Ｉｎｆｏｒｍａｔｉｏｎ  Ｓｔｒｕｃｔｕｒｅ情報）をカード型装置から読み込むことで、ホスト装置及びカード型装置の夫々に対応した電源電圧をＣＩＳ情報に基づいて決定する。ＣＩＳ情報は、Ｃａｒｄ  Ｓｔａｎｄａｒｄ  Ｖｏｌｕｍｅ  ４  Ｍｅｔａｆｏｒｍａｔ  Ｓｐｅｃｉｆｉｃａｔｉｏｎ等で定義されている。
【０００４】
例えば、５．０Ｖの電源電圧で動作する仕様のカード型装置のみを使用可能な構成のホスト装置の場合、接続されたカード型装置の物理的形状が５．０Ｖの電源電圧で動作する仕様のカード型装置であると認識すると、カード型装置へ供給する電源電圧を暫定的に５．０Ｖに決定し、その後にＣＩＳ情報をカード型装置から読み込むことで、カード型装置が５．０Ｖの電源電圧で動作する仕様であることを認識し、ホスト装置及びカード型装置の夫々に対応した電源電圧をＣＩＳ情報に基づいて５．０Ｖに決定する。
【０００５】
しかし、５．０Ｖの電源電圧で動作する仕様のカード型装置のみを使用可能な構成のホスト装置の場合、接続されたカード型装置の物理的形状が３．３Ｖの電源電圧で動作する仕様のカード型装置であると認識すると、カード型装置へ供給する電源電圧を暫定的に３．３Ｖに決定し、その後にＣＩＳ情報をカード型装置から読み込むことで、カード型装置が３．３Ｖの電源電圧で動作する仕様であることを認識する。この場合、ホスト装置は５．０Ｖの電源電圧で動作する仕様のカード型装置用に設計されているため、カード型装置へ３．３Ｖの電源電圧を供給することはできず、接続されたカード型装置を使用することはできない。同様にして、３．３Ｖの電源電圧で動作する仕様のカード型装置のみを使用可能な構成のホスト装置の場合、接続されたカード型装置の物理的形状が５．０Ｖの電源電圧で動作する仕様のカード型装置であると認識すると、カード型装置へ供給する電源電圧を暫定的に５．０Ｖに決定し、その後にＣＩＳ情報をカード型装置から読み込むことで、カード型装置が５．０Ｖの電源電圧で動作する仕様であることを認識する。この場合、ホスト装置は３．３Ｖの電源電圧で動作する仕様のカード型装置用に設計されているため、カード型装置へ５．０Ｖの電源電圧を供給することはできず、接続されたカード型装置を使用することはできない。
【０００６】
特許文献１には、カード型装置の外部から、カード型装置の属性を変更することが提案されている。
【０００７】
特許文献２には、１台で複数の仕様のカード型装置に対応可能なホスト装置が提案されている。
【０００８】
【特許文献１】
特開平６−２７４７１０号公報（要約、図１）
【０００９】
【特許文献２】
特開平８−５６２４６号公報（要約、図１）
【００１０】
【発明が解決しようとする課題】
従来技術では、異なる仕様のカード型装置を、特定の仕様のカード型装置用に設計されたホスト装置に接続して使用しようとすると、上記特許文献１のようにカード型装置の仕様を外部から変更することが考えられるが、外部からカード型装置の属性を変更するために、カード型装置に属性設定専用の端子（専用の外部インタフェース）を設ける必要があり、カード型装置の構成を変更する必要があると共に、専用の外部インタフェースを備えていない既存のカード型装置との互換性が保てないという問題があった。
【００１１】
又、上記特許文献２のように、１台で複数の仕様のカード型装置に対応可能となるようにホスト装置を構成することが考えられるが、複数の仕様のカード型装置に対応可能とするために、ホスト装置には各仕様用の回路を設けて構成を変更する必要があり、ホスト装置の構成が複雑になると共に、ホスト装置のコストが増加してしまうという問題があった。
【００１２】
そこで、本発明は、既存のカード装置との互換性を保つと共に、ホスト装置の構成を変更することなく、任意の仕様のカード型装置を、特定の仕様のカード型装置用に設計されたホスト装置に接続して使用可能とすることを目的とする。
【００１３】
【課題を解決するための手段】
上記の課題は、第１の仕様のカード型装置が接続される構成のホスト装置に接続可能な変換装置であって、該第１の仕様とは異なる第２の仕様のカード型装置を該ホスト装置に接続可能とする物理的形状を有する接続部と、該ホスト装置が接続されているカード型装置のカード識別情報をアクセスすると、該ホスト装置に接続されている第２の仕様のカード型装置内に格納されているカード識別情報に代わって読み込まれる第１の仕様のカード型装置のカード識別情報を格納する格納部と、該ホスト装置からの電源電圧を該第２の仕様に合わせて変換して該第２の仕様のカード型装置へ供給する電圧変換部とを備えたことを特徴とする変換装置によって達成できる。
【００１４】
従って、本発明によれば、既存のカード装置との互換性を保つと共に、ホスト装置の構成を複雑にしたりコストを増加することなく、任意の仕様のカード型装置を、特定の仕様のカード型装置用に設計されたホスト装置に接続して使用可能とする変換装置を実現することができる。
【００１５】
【発明の実施の形態】
持ち運び可能なカード媒体であるカード型装置の物理的形状を、別の仕様のカード型装置の物理的形状に変換するアダプタ等の変換装置を使用することが考えられる。例えば、３．３Ｖの電源電圧で動作する仕様のカード型装置を、５．０Ｖの電源電圧で動作する仕様のカード型装置用に設計されたホスト装置に接続する際に、５．０Ｖの電源電圧で動作する仕様のカード型装置の物理的形状に変換するアダプタを介してホスト装置へ接続したとする。この場合、ホスト装置は、アダプタが介在することにより、接続されたカード型装置の物理的形状が５．０Ｖの電源電圧で動作する仕様のカード型装置であると認識するので、カード型装置へ供給する電源電圧を暫定的に５．０Ｖに決定するが、その後にＣＩＳ情報等のカード識別情報をカード型装置から読み込むことで、カード型装置が３．３Ｖの電源電圧で動作する仕様であることを認識する。この場合、ホスト装置は５．０Ｖの電源電圧で動作する仕様のカード型装置用に設計されているため、カード型装置へ３．３Ｖの電源電圧を供給することはできず、接続されたカード型装置を使用することはできない。従って、たとえ５．０Ｖの電源電圧を３．３Ｖの電源電圧に変換する電圧変換回路を設けたとしても、３．３Ｖの電源電圧で動作する仕様のカード型装置を、５．０Ｖの電源電圧で動作する仕様のカード型装置用に設計されたホスト装置が使用することはできない。
【００１６】
そこで、本発明では、例えば、３．３Ｖの電源電圧で動作する仕様のカード型装置を、５．０Ｖの電源電圧で動作する仕様のカード型装置用に設計されたホスト装置に接続する際に、５．０Ｖの電源電圧で動作する仕様のカード型装置の物理的形状に変換するアダプタ等の変換装置を介してホスト装置へ接続する。この場合、ホスト装置は、アダプタが介在することにより、接続されたカード型装置の物理的形状が５．０Ｖの電源電圧で動作する仕様のカード型装置であると認識するので、カード型装置へ供給する電源電圧を暫定的に５．０Ｖに決定する。又、変換装置には、５．０Ｖの電源電圧で動作する仕様のカード型装置のカード識別情報を格納する格納部が設けられる。このため、ホスト装置がカード型装置をアクセスしてカード識別情報を読み込もうとすると、カード型装置ではなく、変換装置がアクセスされて、変換装置から５．０Ｖの電源電圧で動作する仕様のカード型装置のカード識別情報が読み込まれる。これにより、ホスト装置は、接続されているカード型装置があたかも５．０Ｖの電源電圧で動作する仕様であるかの如く認識する。従って、ホスト装置は５．０Ｖの電源電圧を供給し、この電源電圧は変換装置に設けられた電圧変換回路で３．３Ｖの電源電圧に変換されてからカード型装置に供給されるため、ホスト装置は接続されたカード型装置を使用することが可能となる。同様にして、任意の仕様のカード型装置を、上記の如き変換装置を介して所定の仕様のカード型装置用に設計されたホスト装置に接続することで、このホスト装置で任意の仕様のカード型装置を使用することが可能となる。
【００１７】
カード識別情報としては、ＰＣ  Ｃａｒｄ  Ｓｔａｎｄａｒｄ  Ｒｅｌｅａｓｅ  ８．０（Ｃａｒｄ  Ｓｔａｎｄａｒｄ  Ｖｏｌｕｍｅ  ４  Ｍｅｔａｆｏｒｍａｔ  Ｓｐｅｃｉｆｉｃａｔｉｏｎ）、ＣＦ＋  ＆  ＣＦ  Ｓｐｅｃｉｆｉｃａｔｉｏｎ  Ｒｅｖｉｓｉｏｎ  １．４（１９９８−９９  Ｃｏｍｐａｃｔ  Ｆｌａｓｈ  Ａｓｓｏｃｉａｔｉｏｎ）等で規格化されているＣＩＳデータを使用できる。
【００１８】
以下に、本発明になる変換装置の各実施例を、図面と共に説明する。
【００１９】
【実施例】
図１は、本発明になる変換装置の第１実施例を説明する図である。同図中、変換装置１−１は、第１の仕様のカード型装置用に設計されたホスト装置２−１と、第２の仕様のカード型装置３−１と接続されて使用される。ホスト装置２−１は、パーソナルコンピュータ等の周知の情報処理装置からなる。変換装置１−１の接続部１１は、カード型装置３−１の接続部３１と接続可能な物理的形状を有し、変換装置１−１の接続部１２は、ホスト装置２−１の接続部２１と接続可能な物理的形状を有する。物理的形状には、ピンやコンタクト用端子の配置も含まれる。従って、変換装置１−１の接続部１１は、第２の仕様のカード型装置用に設計されたホスト装置の接続部と同様の複数のピンからなる構成を有すると共に、第２の仕様のカード型装置の物理的形状の特徴を吸収する形状を有する。変換装置１−１の接続部１２は、第１の仕様のカード型装置の接続部と同様の複数のコンタクト用端子からなる構成を有する。カード型装置３−１は、変換装置１−１を介してホスト装置２−１と接続可能である。変換装置１−１は、ホスト装置２−１が接続されているカード型装置３−１のカード識別情報をアクセスすると、カード型装置３−１内に格納されているカード識別情報に代わって読み込まれる第１の仕様のカード型装置のカード識別情報を格納する格納部と、ホスト装置２−１からの電源電圧を第２の仕様に合わせて変換して第２の仕様のカード型装置３−１へ供給する電圧変換部とを備える。
【００２０】
例えば、カード型装置３−１は、５．０Ｖの電源電圧を用いる第２の仕様のＣＦカードであり、ホスト装置２−１は、３．３Ｖの電源電圧を用いる第１の仕様のＣＦカード用に設計されている。カード型装置３−１は、メモリ、レジスタ等からなる周知の構成を有し、ＣＰＵ等のプロセッサを有しても良い。
【００２１】
図２は、本発明になる変換装置の第２実施例を説明する図である。同図中、変換装置１−２は、第１の仕様のカード型装置用に設計されたホスト装置２−２と、第２の仕様のカード型装置３−１と接続されて使用される。ホスト装置２−２は、パーソナルコンピュータ等の周知の情報処理装置からなる。変換装置１−２の接続部１１は、カード型装置３−１の接続部３１と接続可能な物理的形状を有し、変換装置１−２の接続部１３は、ホスト装置２−２の接続部２２と接続可能な物理的形状を有する。物理的形状には、ピンやコンタクト用端子の配置も含まれる。従って、変換装置１−２の接続部１１は、第２の仕様のカード型装置用に設計されたホスト装置の接続部と同様の複数のピンからなる構成を有すると共に、第２の仕様のカード型装置の物理的形状の特徴を吸収する形状を有する。変換装置１−２の接続部１３は、第１の仕様のカード型装置の接続部と同様の複数のコンタクト用端子からなる構成を有する。カード型装置３−１は、変換装置１−２を介してホスト装置２−２と接続可能である。変換装置１−２は、ホスト装置２−２が接続されているカード型装置３−１のカード識別情報をアクセスすると、カード型装置３−１内に格納されているカード識別情報に代わって読み込まれる第１の仕様のカード型装置のカード識別情報を格納する格納部と、ホスト装置２−２からの電源電圧を第２の仕様に合わせて変換して第２の仕様のカード型装置３−１へ供給する電圧変換部とを備える。
【００２２】
例えば、カード型装置３−１は、５．０Ｖの電源電圧を用いる第２の仕様のＣＦカードであり、ホスト装置２−２は、３．３Ｖの電源電圧を用いる第１の仕様のＰＣカード用に設計されている。カード型装置３−１は、メモリ、レジスタ等からなる周知の構成を有し、ＣＰＵ等のプロセッサを有しても良い。
【００２３】
図３は、本発明になる変換装置の第３実施例を説明する図である。同図中、変換装置１−３は、第１の仕様のカード型装置用に設計されたホスト装置２−３と、第２の仕様のカード型装置３−２と接続されて使用される。ホスト装置２−３は、パーソナルコンピュータ等の周知の情報処理装置からなる。変換装置１−３の接続部１４は、カード型装置３−２の接続部３２と接続可能な物理的形状を有し、変換装置１−３の接続部１２は、ホスト装置２−３の接続部２１と接続可能な物理的形状を有する。物理的形状には、ピンやコンタクト用端子の配置も含まれる。従って、変換装置１−３の接続部１４は、第２の仕様のカード型装置用に設計されたホスト装置の接続部と同様の複数のピンからなる構成を有すると共に、第２の仕様のカード型装置の物理的形状の特徴を吸収する形状を有する。変換装置１−３の接続部１２は、第１の仕様のカード型装置の接続部と同様の複数のコンタクト用端子からなる構成を有する。カード型装置３−２は、変換装置１−３を介してホスト装置２−３と接続可能である。変換装置１−３は、ホスト装置２−３が接続されているカード型装置３−２のカード識別情報をアクセスすると、カード型装置３−２内に格納されているカード識別情報に代わって読み込まれる第１の仕様のカード型装置のカード識別情報を格納する格納部と、ホスト装置２−３からの電源電圧を第２の仕様に合わせて変換して第２の仕様のカード型装置３−２へ供給する電圧変換部とを備える。
【００２４】
例えば、カード型装置３−２は、５．０Ｖの電源電圧を用いる第２の仕様のＰＣカードであり、ホスト装置２−３は、３．３Ｖの電源電圧を用いる第１の仕様のＣＦカード用に設計されている。カード型装置３−２は、メモリ、レジスタ等からなる周知の構成を有し、ＣＰＵ等のプロセッサを有しても良い。
【００２５】
図４は、本発明になる変換装置の第４実施例を説明する図である。同図中、変換装置１−４は、第１の仕様のカード型装置用に設計されたホスト装置２−４と、第２の仕様のカード型装置３−２と接続されて使用される。ホスト装置２−４は、パーソナルコンピュータ等の周知の情報処理装置からなる。変換装置１−４の接続部１４は、カード型装置３−２の接続部３２と接続可能な物理的形状を有し、変換装置１−４の接続部１３は、ホスト装置２−４の接続部２２と接続可能な物理的形状を有する。物理的形状には、ピンやコンタクト用端子の配置も含まれる。従って、変換装置１−４の接続部１４は、第２の仕様のカード型装置用に設計されたホスト装置の接続部と同様の複数のピンからなる構成を有すると共に、第２の仕様のカード型装置の物理的形状の特徴を吸収する形状を有する。変換装置１−４の接続部１３は、第１の仕様のカード型装置の接続部と同様の複数のコンタクト用端子からなる構成を有する。カード型装置３−２は、変換装置１−４を介してホスト装置２−４と接続可能である。変換装置１−４は、ホスト装置２−４が接続されているカード型装置３−２のカード識別情報をアクセスすると、カード型装置３−２内に格納されているカード識別情報に代わって読み込まれる第１の仕様のカード型装置のカード識別情報を格納する格納部と、ホスト装置２−４からの電源電圧を第２の仕様に合わせて変換して第２の仕様のカード型装置３−２へ供給する電圧変換部とを備える。
【００２６】
例えば、カード型装置３−２は、５．０Ｖの電源電圧を用いる第２の仕様のＰＣカードであり、ホスト装置２−４は、３．３Ｖの電源電圧を用いる第１の仕様のＰＣカード用に設計されている。カード型装置３−２は、メモリ、レジスタ等からなる周知の構成を有し、ＣＰＵ等のプロセッサを有しても良い。
【００２７】
上記の如く、第１の仕様のカード型装置と、前記第２の仕様のカード型装置とは、同じ種類のカード型装置であっても、互いに異なる種類のカード型装置であっても良い。同じ種類のカード型装置は、ＰＣカード又はＦＣカードであっても良い。互いに異なる種類のカード型装置は、ＰＣカード及びＦＣカードであっても良い。
【００２８】
図５は、３．３Ｖの電源電圧を用いる第１の仕様のＰＣカード３−３の、コンタクト用端子４−３が設けられた接続部３３の端面形状を示す図であり、図６は、５．０Ｖの電源電圧を用いる第２の仕様のＰＣカード３−２の、コンタクト用端子４−２が設けられた接続部３２の端面形状を示す図である。図５及び図６に示す接続部３３，３２の端面形状は互いに異なり、各ホスト装置２−１〜２−４は、周知の手段により、カード型装置の物理的形状の違いからカード型装置の仕様を認識可能である。尚、３．３Ｖの電源電圧を用いる第１の仕様のＦＣカードのコンタクト用端子が設けられた接続部の端面形状と、５．０Ｖの電源電圧を用いる第２の仕様のＦＣカードのコンタクト用端子が設けられた接続部の端面形状とは互いに異なり、夫々図５及び図６と同様の形状を有しても良い。
【００２９】
次に、変換装置の構成を、図７と共に説明する。図７は、変換装置の構成を示すブロック図である。図１〜図４に示す変換装置１−１〜１−４の構成は、基本的には同じであるため、以下の説明では、変換装置１−１の場合について説明する。図７では、説明の便宜上、変換装置１−１と接続する必要があり、且つ、本実施例の動作と直接関係のある端子のみを示す。
【００３０】
図７において、変換装置１−１は、内部データバス制御部４１、データバス方向制御部４２、アドレスデコーダ４３、制御信号マスク制御部４４、ＣＩＳレジスタ４５、ＣＯＲレジスタ４６、レジスタ部４７、ＥＥＰＲＯＭ制御部４８、発振制御部４９、割り込み制御部５０、リセットＩＣ５１、水晶振動子５２、ＥＥＰＲＯＭ５３及び電圧変換部５４からなる。
【００３１】
内部データバス制御部４１は、変換装置１−１内のデータバスの入出力の制御を行う。データバス方向制御部４２は、ホスト装置２−１側及びカード型装置３−１側に対するデータバスの入出力の制御を行う。アドレスデコーダ４３は、後述するアドレスＡ０〜Ａ９をデコードする。制御信号マスク制御部４４は、後述するカードイネーブル信号（カード選択信号）ＣＥ１、アウトプットイネーブル信号ＯＥ及びライトイネーブル信号ＷＥのマスクを制御する。
【００３２】
ＣＩＳレジスタ４５は、ホスト装置２−１の初期立ち上げ時には、ホスト装置２−１に接続可能な第１の仕様のカード型装置のＣＩＳデータのうち、少なくともホスト装置２−１の初期立ち上げに必要なＣＩＳデータを格納する。本実施例の場合、ＣＩＳレジスタ４５は、ホスト装置２−１の初期立ち上げ時には、第１の仕様のカード型装置のＣＩＳデータのうち、ホスト装置２−１の初期立ち上げに必要な電源情報を含むＣＩＳデータのみを格納する。電源情報は、カード型装置の電源電圧を示す。ＣＩＳデータは、ホスト装置２−１からの要求に応答してＣＩＳレジスタ４５から読み出される。ＣＯＲレジスタ４６は、ホスト装置２−１に接続可能なカード型装置のコンフィギュレーションオプションレジスタ（ＣＯＲ：Ｃｏｎｆｉｇｕｒａｔｉｏｎ  Ｏｐｔｉｏｎ  Ｒｅｇｉｓｔｅｒ）データを格納する。本実施例の場合、ＣＯＲレジスタ４６は、第１の仕様のカード型装置のＣＯＲデータを格納する。カード型装置内では、ＣＯＲは例えば後述する図９に示すＲＯＭ３１２又はＥＥＰＲＭ３１５により構成される。ＣＯＲデータは、ホスト装置２−１からのリード要求に応答してＣＯＲレジスタ４６から読み出される。レジスタ４７部は、ＣＩＳデータライト用に設けられており、ＣＩＳライトレジスタＣＩＳＷＲＩＴＥ、ＣＩＳライト制御用レジスタＥＷＥ１及びＣＩＳライト制御用レジスタＥＷＥ２からなる。
【００３３】
ホスト装置２−１がＣＯＲデータから電源電圧を認識可能な場合には、ＣＩＳデータの代わりに、ＣＯＲデータをカード識別情報として用いて電源電圧を決定するようにしても良い。
【００３４】
ＥＥＰＲＯＭ制御部４８は、リセットＩＣ５１によるパワーオンリセット後に、自動的にＥＥＰＲＯＭ５３からＣＩＳデータをレジスタ部４７へロードする。発振制御部４９は、水晶振動子５２の発振を制御する。割り込み制御部５０は、割り込み要求信号ＩＲＥＱを制御する。電圧変換部５４は、ホスト装置２−１からの第１の仕様に準じた電源電圧を、第２の仕様に準じた電源電圧に変換してからカード型装置３−１へ供給する周知の電圧変換回路からなる。本実施例では、電圧変換部５４は、ホスト装置２−１からの３．３Ｖの電源電圧を５．０Ｖの電源電圧に変換してカード型装置３−１へ供給する。図７中、ＶＣＣは電源入力端子、ＧＮＤはグランド端子を示す。
【００３５】
図８は、ホスト装置２−１の構成を示すブロック図である。同図中、ホスト装置２−１は、バス２１５により接続されたＣＰＵ２１１、メモリ２１２、記憶部２１３及びインタフェース（Ｉ／Ｆ）部２１４からなる。メモリ２１２は、例えばＲＡＭ等からなり、ＣＰＵ２１１のワークエリア等として使用される。記憶部２１３は、例えばディスク装置等からなり、ＣＰＵ２１１が実行するプログラムや各種データを格納する。Ｉ／Ｆ部２１４は、外部装置とのインタフェースを司るもので、接続部２１（図示せず）に接続されている。
【００３６】
尚、ホスト装置の構成は、図８に示す構成に限定されるものではないことは、言うまでもない。
【００３７】
図９は、カード型装置３−１の構成を示すブロック図である。同図中、カード型装置３−１は、バス３１７により接続されたＣＰＵ３１１、ＲＯＭ３１２、ＲＡＭ３１３、ＰＣＭＣＩＡ−ＬＳＩ３１４、水晶振動子３１８及びインタフェース（Ｉ／Ｆ）部３１６からなり、ＰＣＭＣＩＡ−ＬＳＩ３１４にはＥＥＰＲＯＭ３１５が接続されている。ＲＯＭ３１２及びＲＡＭ３１３は、ＣＰＵ３１１が実行するプログラムや各種データを格納する。Ｉ／Ｆ部３１６は、外部装置とのインタフェースを司るもので、接続部３１（図示せず）に接続されている。ＰＣＭＣＩＡ−ＬＳＩ３１４は、ＣＰＵ３１１とＩ／Ｆ部３１６との間のインタフェース変換を行う。ＥＥＰＲＯＭ３１５は、ＣＩＳデータ等を格納する。水晶振動子３１８は、ＣＰＵ３１１及びＰＣＭＣＩＡ−ＬＳＩ３１４にクロックを供給する。
【００３８】
尚、カード型装置の構成は、図９に示す構成に限定されるものではないことは、言うまでもなく、カード型装置は、ＣＰＵ等のプロセッサを有さない構成であっても良い。
【００３９】
図１０及び図１１は、カード型装置３−２（ＰＣカード）の端子番号と、カード型装置３−１（ＦＣカード）の端子番号と、図７に示す端子（信号）名称と、各端子（信号）の機能とを説明する図である。図１０及び図１１は、６８ピンのＰＣカードと５０ピンのＦＣカードの場合を示す。
【００４０】
図１０及び図１１に示すように、Ａ０〜Ａ２５はアドレスビット端子であり、Ｄ０〜Ｄ１５はデータビット端子である。図７において、アドレスビット端子のうち、変換装置１−１側のアドレスビット端子には「Ｉ」を付す。又、図７では、アドレスビット端子Ａ０〜Ａ１０のうち、接続する必要のあるアドレスビット端子Ａ０〜Ａ９のみが図示され、データビット端子Ｄ０〜Ｄ１５のうち、接続する必要のあるデータビット端子Ｄ０〜Ｄ７のみが図示されている。図１１に示すＣＤ１，ＣＤ２は、夫々カード検出用信号端子であり、ＣＥ１，ＣＥ２は夫々カードイネーブル信号（カード選択信号）端子である。ＯＥ，ＷＥは、夫々アウトプットイネーブル信号端子、ライトイネーブル信号端子である。アウトプットイネーブル信号端子ＯＥは、カード型装置内の周知のアトリビュートメモリ（図示せず）からのデータ読み込み用であり、ライトイネーブル信号端子ＷＥは、カード型装置内の上記アトリビュートメモリへのデータ書き込み用である。カード型装置内のアトリビュートメモリは、そのカード型装置のアトリビュートデータ等を格納し、ワークエリアとしても使用される。例えば、図９に示すＲＡＭ３１３がアトリビュートメモリを構成する。尚、図７において、ホスト装置２−１側及びカード型装置３−１側のアドレスビット端子以外の端子には「Ｘ」を付し、変換装置１−１側のアドレスビット端子以外の端子には「ＩＸ」を付す。
【００４１】
図１１に示すＩＲＥＱは割り込み要求信号の入出力（Ｉ／Ｏ）インタフェースモード時のみ有効となる端子であり、ＶＳ１はカード型装置３−１内部の動作電圧を変換装置１−１側で検出させる端子である。ＩＯＲＤ，ＩＯＷＲは、夫々カード型装置３−１内のＩ／Ｏモードを格納するための周知のＩ／Ｏモードレジスタ（図示せず）からデータを読み込むための端子、カード型装置３−１内のＩ／Ｏモードレジスタへデータを書き込みための端子である。カード型装置内のＩ／Ｏモードレジスタは、Ｉ／Ｏモードとメモリモードのモードのうち、カード型装置がＩ／Ｏカードとして使用されることを示す情報を格納するもので、例えば図９に示すＲＡＭ３１３がＩ／Ｏモードレジスタを構成する。ＷＰ／ＩＯＩＳ１６は、１６ビットのＩ／Ｏポートである。ＶＰＰ１，ＶＰＰ２は、夫々プログラム及びペリフェラル用電源であり、ＶＳ２はカード型装置３−１内部の動作電圧を変換装置１−１側で検出させる端子である。ＲＥＳＥＴは、カード型装置３−１内のカードコンフィギュレーション（ＣＣ）を格納するための周知のＣＣＲ（Ｃａｒｄ  Ｃｏｎｆｉｇｕｒａｔｉｏｎ  Ｒｅｇｉｓｔｅｒ）をクリアしてカード型装置３−１を未設定状態にすると共に、カード型装置３−１内の他の初期化を開始するための端子である。ＣＣＲは、例えば図９に示すＲＡＭ３１３により構成される。ＷＡＩＴは、進行中のＩ／Ｏアクセスサイクルの終了を遅らせるための端子であり、ＩＮＰＡＣＫは、入力応答信号用の端子である。ＲＥＧは、カード型装置３−１内のアトリビュートメモリ空間セレクト信号用の端子であり、ＳＰＫＲは、スピーカー出力端子（デジタル出力用）であり、ＳＴＳＣＨＧは、カード型装置３−１の状態変化検出用端子である。
【００４２】
次に、図７に示す変換装置１−１の動作を、図１２と共に説明する。図１２は、変換装置１−１の動作を説明するフローチャートである。
【００４３】
図１２において、ステップＳ１では、オペレータが、カード型装置３−１を変換装置１−１を介してホスト装置２−１に接続する。ステップＳ２では、ホスト装置２−１が初期立ち上げを実行するために、ＣＩＳデータアクセス要求を行ってＣＩＳデータのアクセスを開始する。ステップＳ３では、パワーオンリセットを契機に、変換装置１−１内のＥＥＰＲＯＭ５３に格納されている第１の仕様のカード型装置のＣＩＳデータが、ＥＥＰＲＯＭ制御部４８の制御下でＣＩＳレジスタ４５にロードされる。ステップＳ４では、制御信号マスク制御部４４により、ホスト装置２−１からのカード型装置３−１内のアトリビュートメモリに対するＣＩＳデータアクセス要求を抑止して、代わりに変換装置１−１内のＣＩＳレジスタ４５にアクセスさせる。これにより、ＣＩＳレジスタ４５内のＣＩＳデータは、ホスト装置２−１に読み込まれる。
【００４４】
ステップＳ５では、ホスト装置２−１が、変換装置１−１の物理的形状から、接続されたカード型装置が第１の仕様であると認識して電源電圧を暫定的に第１の仕様に準じた５．０Ｖに決定すると共に、読み込まれたＣＩＳデータから、接続されているカード型装置３−１の仕様が第１の仕様であるか否かを判定する。ステップＳ５は、読み込まれたＣＩＳデータのうち、電源情報のみに基づいて、接続されているカード型装置３−１の仕様が第１の仕様であるか否かを判定可能である。ステップＳ５の判定結果がＮＯであると、ホスト装置２−１は、エラーが発生したと判断してエラー通知をオペレータに対して行い、処理は異常終了する。オペレータへのエラー通知は、メッセージの表示、警告音の出力等の周知の手段で行える。
【００４５】
他方、ステップＳ５の判定結果がＹＥＳであると、ステップＳ７では、ホスト装置２−１が供給するべき電源電圧を第１の仕様に準じたの５．０Ｖに決定し、５．０Ｖの電源電圧の供給を開始することで、初期立ち上げを完了する。ステップＳ８では、変換装置１−１内の電圧変換部５４がホスト装置２−１からの５．０Ｖの電源電圧を、第２の仕様に準じた３．３Ｖの電源電圧に変換し、この３．３Ｖの電源電圧のカード型装置３−１への供給を開始する。ステップＳ９では、ホスト装置２−１がカード型装置３−１のＣＩＳデータの残りを読み込んで立ち上げが完了し、処理は終了する。このように、ホスト装置２−１は、カード型装置３−１ではなくて変換装置１−１からのＣＩＳデータを読み込むので、第１の仕様のカード型装置が接続されているとみなして５．０Ｖの電源電圧の供給を開始するが、変換装置１−１内で第２の仕様の電源電圧３．３Ｖに変換されてからカード型装置３−１に供給されるので、ホスト装置２−１と接続されたカード型装置３−１の仕様が異なるものの、変換装置１−１を介在させることで、ホスト装置２−１によるカード型装置３−１の使用が可能となる。
【００４６】
ステップＳ９において、カード型装置３−１のＣＩＳデータの残りを読み取る場合、カード型装置３−１から直接読み込むと、電源情報がステップＳ４においてホスト装置２−１に読み込まれる電源情報と異なってしまう。そこで、ステップＳ９では、カード型装置３−１のＣＩＳデータが一旦変換装置１−１内のレジスタ部４７内に書き込まれ、電源情報以外のＣＩＳデータはそのままＣＩＳレジスタ４５に格納されると共に、電源情報はＥＥＰＲＯＭ５３から読み出したものと置き換えられてＣＩＳレジスタ４５に格納される。従って、ステップＳ９において、ホスト装置２−１がカード型装置３−１のＣＩＳデータの残りをアクセスすると、変換装置１−１内のＣＩＳレジスタ４５内のＣＩＳデータが読み込まれ、ＣＩＳデータの残りがアクセスされることで立ち上げが完了する。ホスト装置２−１は、立ち上げが完了すると、その後は変換装置１−１をバイパスしてカード型装置３−１と直接やりとりを行うことができる。
【００４７】
ステップＳ９において、カード型装置３−１のＣＩＳデータを変換装置１−１内のＣＩＳレジスタ４５に格納する際に置き換えるデータは、電源情報に限定されず、電源情報に加えて、ＣＩＳデータに含まれる製造メーカー情報、製品名情報、バージョン情報等を必要に応じて置き換えても良いことは言うまでもない。
【００４８】
上記各実施例において、ＣＩＳデータの電源情報は、例えばＰＣ  Ｃａｒｄ  ＳｔａｎｄａｒｄＲｅｌｅａｓｅ  ８．０（Ｃａｒｄ  Ｓｔａｎｄａｒｄ  Ｖｏｌｕｍｅ  ４  Ｍｅｔａｆｏｒｍａｔ  Ｓｐｅｃｉｆｉｃａｔｉｏｎ）に準じたＰＣカードの場合、５．０Ｖの電源電圧を供給するホスト装置が参照するＣＩＳＴＰＬ＿ＤＥＶＩＣＥ（Ｔｈｅ  ５  ｖｏｌｔ  Ｄｅｖｉｃｅ  ｉｎｆｏｒｍａｔｉｏｎ  Ｔｕｐｌｅｓ）と呼ばれる電源情報、又は、３．３Ｖの電源電圧を供給するホスト装置が参照するＣＩＳＴＰＬ＿ＤＥＶＩＣＥ＿ＯＣ（Ｔｈｅ  Ｏｔｈｅｒ  Ｃｏｎｄｉｔｉｏｎｓ  Ｄｅｖｉｃｅ  Ｉｎｆｏｒｍａｔｉｏｎ  Ｔｕｐｌｅｓ）と呼ばれる電源情報である。更に、ＣＩＳデータに含まれる製造メーカー情報、製品名情報、バージョン情報等は、このようなＰＣカードの場合、ホスト装置が参照するＣＩＳＴＰＬ＿ＶＥＲＳ＿１（Ｌｅｖｅｌ１  Ｖｅｒｓｉｏｎ／Ｐｒｏｄｕｃｔ  ｉｎｆｏｒｍａｔｉｏｎ  ｔｕｐｌｅ）と呼ばれる情報である。ＣＩＳデータには、上記の他に、データのフォーマット、プロトコル等の情報も含まれるが、これらの情報は本発明の要旨と直接関係がないので、その説明は省略する。
【００４９】
尚、本発明は、以下に付記する発明をも包含するものである。
【００５０】
（付記１）  第１の仕様のカード型装置が接続される構成のホスト装置に接続可能な変換装置であって、
該第１の仕様とは異なる第２の仕様のカード型装置を該ホスト装置に接続可能とする物理的形状を有する接続部と、
該ホスト装置が接続されているカード型装置のカード識別情報をアクセスすると、該ホスト装置に接続されている第２の仕様のカード型装置内に格納されているカード識別情報に代わって読み込まれる第１の仕様のカード型装置のカード識別情報を格納する格納部と、
該ホスト装置からの電源電圧を該第２の仕様に合わせて変換して該第２の仕様のカード型装置へ供給する電圧変換部とを備えたことを特徴とする、変換装置。
【００５１】
（付記２）  前記カード型装置は、持ち運び可能なカード媒体であることを特徴とする、付記１記載の変換装置。
【００５２】
（付記３）  前記第１の仕様の電源電圧は３．３Ｖであり、前記第２の仕様の電源電圧は５．０Ｖであることを特徴とする、付記１又は２記載の変換装置。
【００５３】
（付記４）  前記第１の仕様の電源電圧は５．０Ｖであり、前記第２の仕様の電源電圧は３．３Ｖであることを特徴とする、付記１又は２記載の変換装置。
【００５４】
（付記５）  前記格納部は、前記ホスト装置内でカード型装置の使用に伴う初期立ち上げに必要なカード識別情報を少なくとも格納することを特徴とする、付記１〜４のいずれか１項記載の変換装置。
【００５５】
（付記６）  前記初期立ち上げに必要なカード識別情報は、電源情報を含むことを特徴とする、付記５記載の変換装置。
【００５６】
（付記７）  前記第１の仕様のカード型装置と、前記第２の仕様のカード型装置とは、同じ種類のカード型装置であることを特徴とする、付記１〜６のいずれか１項記載の変換装置。
【００５７】
（付記８）  前記第１の仕様のカード型装置と、前記第２の仕様のカード型装置とは、互いに異なる種類のカード型装置であることを特徴とする、付記１〜６のいずれか１項記載の変換装置。
【００５８】
以上、本発明を実施例により説明したが、本発明は上記実施例に限定されるものではなく、種々の変形及び改良が可能であることは、言うまでもない。
【００５９】
【発明の効果】
本発明によれば、既存のカード装置との互換性を保つと共に、ホスト装置の構成を変更することなく、任意の仕様のカード型装置を、特定の仕様のカード型装置用に設計されたホスト装置に接続して使用可能とする変換装置を実現することができる。
【図面の簡単な説明】
【図１】本発明になる変換装置の第１実施例を説明する図である。
【図２】本発明になる変換装置の第２実施例を説明する図である。
【図３】本発明になる変換装置の第３実施例を説明する図である。
【図４】本発明になる変換装置の第４実施例を説明する図である。
【図５】第１の仕様のＰＣカードの接続部の端面形状を示す図である。
【図６】第２の仕様のＰＣカードの接続部の端面形状を示す図である。
【図７】変換装置の構成を示すブロック図である。
【図８】ホスト装置の構成を示すブロック図である。
【図９】カード型装置の構成を示すブロック図である。
【図１０】ＰＣカードの端子番号と、ＦＣカードの端子番号と、図７に示す端子名称と、各端子の機能とを説明する図である。
【図１１】ＰＣカードの端子番号と、ＦＣカードの端子番号と、図７に示す端子名称と、各端子の機能とを説明する図である。
【図１２】変換装置の動作を説明するフローチャートである。
【符号の説明】
１−１〜１−４      変換装置
２−１〜２−４      ホスト装置
３−１，３−２      カード型装置
４−２，４−３      コンタクト用端子
１１〜１４，２１，２２，３１〜３３      接続部
４４      制御信号マスク制御部
４５      ＣＩＳレジスタ
５３      ＥＥＰＲＯＭ
５４      電圧変換部
２１１，３１１      ＣＰＵ
２１４，３１６      Ｉ／Ｆ部
【図１】
2004227239.tif 000003
【図２】
2004227239.tif 000004
【図３】
2004227239.tif 000005
【図４】
2004227239.tif 000006
【図５】
2004227239.tif 000007
【図６】
2004227239.tif 000008
【図７】
2004227239.tif 000009
【図８】
2004227239.tif 000010
【図９】
2004227239.tif 000011
【図１０】
2004227239.tif 000012
【図１１】
2004227239.tif 000013
【図１２】
2004227239.tif 000014